(57)【要約】      （修正有）【課題】有限要素法を用いて構造物の解析を行う数値解析方法に関し、新規解析データの定義ブロックごとに、実測との検証によって精度の得られた基本解析データの該当するブロックとの比較を可能とする。【解決手段】基本解析データと新規解析データをオペレータ指示によって入力し、機能別のブロック分類を行ってその結果を記憶手段に格納する（１３）。次に、２つの数値解析データにおいて、機能の同じブロックを見つけて関係付けする（１４）。続いて、関係付けられたブロックについて、基本解析データのブロックを新規解析データのブロックで書き換えて、新たに一時解析データを作成する（１５）。更に、その作成された一時解析データを数値解析し、変更されたブロック情報とともに結果データを記憶する（１６）。そして、基本解析データの解析結果と一時解析データの解析結果とを比較し差を記憶、表示する（１７）。【選択図】図２
2009223718.tif 000002
【特許請求の範囲】
【請求項１】
数値解析データ表示手段、数値解析処理手段、数値解析結果表示手段、数値解析データの少なくとも要素、材料、拘束、負荷、解析ステップ条件を機能別にブロック分類して記憶する記憶手段を備えたコンピュータによる設計支援システムにおいて、
基本解析データと新規解析データの２つの数値解析データをオペレータ指示によって入力し、前記機能別のブロック分類を行ってその結果を前記記憶手段に格納する第１のステップと、
前記２つの数値解析データにおいて、機能の同じブロックを見つけて関係付けする第２のステップと、
該関係付けられたブロックについて、前記基本解析データのブロックを前記新規解析データのブロックで書き換えて、新たに一時解析データを作成する第３のステップと、
該作成された一時解析データを数値解析し、変更されたブロック情報とともに結果データを記憶する第４のステップと、
前記基本解析データの解析結果と前記一時解析データの解析結果とを比較し差を記憶、表示する第５ステップと、
を含むことを特徴とする数値解析レベルの評価方法。
【請求項２】
前記基本解析データと前記新規解析データとで関係付けられたブロックが複数できたとき、前記基本解析データの材料定義に関するブロックを１個だけそれに関係付けられている前記新規解析データのブロックで書き換えた条件で、前記第３、第４、及び第５のステップを実行させる、
ことを特徴とする請求項１に記載の数値解析レベルの評価方法。
【請求項３】
前記基本解析データの形状モデル定義とそれに関係する拘束条件、負荷条件のブロックを前記新規解析データの形状モデル定義その他関連部分のブロックとについて、前記第２、第３、第４のステップを実行し、
その解析結果を、前記材料定義のみ変更した一時解析データの解析結果と比較した差を記憶、表示するステップを更に有する、
ことを特徴とする請求項１に記載の数値解析レベルの評価方法。
【請求項４】
前記第２のステップは、前記基本解析データと前記新規解析データの各部品形状モデルとその要素集合名あるいは材料名をディスプレイに表示し、オペレータに前記基本解析データと前記新規解析データと機能の同じブロックの対応関係を指示させる、
ことを特徴とする請求項１乃至３の何れかに記載の数値解析レベルの評価方法。
【請求項５】
前記第２のステップは、前記基本解析データと前記新規解析データの両方の拘束条件、負荷条件、接触面定義をディスプレイに表示し、オペレータに前記基本解析データと前記新規解析データと機能の同じブロックの対応関係を指示させる、
ことを特徴とする請求項１乃至４の何れかに記載の数値解析レベルの評価方法。
【請求項６】
前記第２のステップは、前記基本解析データのブロックと前記新規解析データのブロックの対応関係をディスプレイに表示し、一度に入れ替えるブロックをオペレータに指示させる、
ことを特徴とする請求項１乃至５の何れかに記載の数値解析レベルの評価方法。
【発明の詳細な説明】
【技術分野】
【０００１】
本発明は、有限要素法を用いて構造物の解析を行う数値解析方法に関するものである。
【背景技術】
【０００２】
数値解析データは、形状データ、材料特性データ、拘束条件、接触条件、負荷条件、解析ステップ条件など個別の機能要素データから構成される。
しかし、モデル作成する人間の知識、経験及び、情報収集能力の差によってその解析データを計算して得られた結果も異なることが多いにもかかわらず、第三者には作成された解析データから得られた結果がどの程度の精度を有するか、その解析データのみから判断する手段がなく、例えば試作品による試験の結果が出てきた時点でようやく判断できるものであった。
【０００３】
また、第三者自身の経験から判断して、明らかに結果が妥当ではないと考えられたときでも、その新規解析データのどの部分の影響で精度が悪くなっているかを判断できなかった。
【０００４】
下記の特許文献１が、関連する従来技術としてある。
【特許文献１】特開２００６−１７２１６７号公報
【発明の開示】
【発明が解決しようとする課題】
【０００５】
以上説明したように、従来は、数値解析において、基礎解析データと新規解析データとを比較して精度を評価することが困難であるという課題があった。
【課題を解決するための手段】
【０００６】
本発明の課題は、新規解析データの定義ブロックごとに、実測との検証によって精度の得られた基本解析データの該当するブロックとの比較を可能とし、どのブロックが計算精度にどの程度影響しているか判断可能とすることにある。
【０００７】
本発明の態様は、数値解析データ表示手段、数値解析処理手段、数値解析結果表示手段、数値解析データの少なくとも要素、材料、拘束、負荷、解析ステップ条件を機能別にブロック分類して記憶する記憶手段を備えたコンピュータによる設計支援システムを前提とする。
【０００８】
まず、基本解析データと新規解析データの２つの数値解析データをオペレータ指示によって入力し、機能別のブロック分類を行ってその結果を記憶手段に格納する第１のステップが実行される。
【０００９】
次に、２つの数値解析データにおいて、機能の同じブロックを見つけて関係付けする第２のステップが実行される。この第２のステップは、基本解析データと新規解析データの各部品形状モデルとその要素集合名あるいは材料名をディスプレイに表示し、オペレータに基本解析データと新規解析データと機能の同じブロックの対応関係を指示させるように構成することができる。また、この第２のステップは、基本解析データと新規解析データの両方の拘束条件、負荷条件、接触面定義をディスプレイに表示し、オペレータに基本解析データと新規解析データと機能の同じブロックの対応関係を指示させるように構成することができる。更に、この第２のステップは、基本解析データのブロックと新規解析データのブロックの対応関係をディスプレイに表示し、一度に入れ替えるブロックをオペレー
タに指示させるように構成することができる。
【００１０】
続いて、関係付けられたブロックについて、基本解析データのブロックを新規解析データのブロックで書き換えて、新たに一時解析データを作成する第３のステップが実行される。
【００１１】
更に、その作成された一時解析データを数値解析し、変更されたブロック情報とともに結果データを記憶する第４のステップが実行される。
そして、基本解析データの解析結果と一時解析データの解析結果とを比較し差を記憶、表示する第５ステップが実行される。
【００１２】
上記本発明の態様の構成において、基本解析データと新規解析データとで関係付けられたブロックが複数できたとき、基本解析データの材料定義に関するブロックを１個だけそれに関係付けられている新規解析データのブロックで書き換えた条件で、第３、第４、及び第５のステップを実行させるように構成することができる。
【００１３】
また、上記本発明の態様の構成において、基本解析データの形状モデル定義とそれに関係する拘束条件、負荷条件のブロックを新規解析データの形状モデル定義その他関連部分のブロックとについて、第２、第３、第４のステップを実行し、その解析結果を、材料定義のみ変更した一時解析データの解析結果と比較した差を記憶、表示するステップを更に有するように構成することができる。
【発明の効果】
【００１４】
上記本発明の態様によれば、基本解析データに対して新規解析データの形状モデル定義部分の違いによる精度への影響を予測することが可能となる。
また、本発明の態様によれば、新規解析データの個別の材料特性ごとに基本解析データとの差が明確になり、計算精度への影響を判断することが可能となる。
【００１５】
更に、本発明の態様によれば、取り出したデータをあらかじめ数値解析しておいた基本解析結果と比較して、一時解析結果の基本解析結果に対する差を記憶し表示することにより、新規解析が基本解析に比較してどの程度の差があるかを自動的に計算し、新規解析データの妥当性を判断することが可能となる。基本解析と一時解析の結果の差を解析誤差許容値と比較してこれを超える場合に、一時解析データ内の入れ替えられた部分に誤差を大きくした原因があると判断することが可能となる。
【発明を実施するための最良の形態】
【００１６】
以下、図面を参照しながら、本発明を実施するための最良の形態を詳細に説明する。
図１から図２５を用いて、本発明の実施の形態及び動作を順次詳細に説明する。
ここで、特には図示しない記録媒体あるいは外部記憶装置であるハードディスク装置から読み出したプログラムを主記憶にローディングして起動し、以下に説明する各種処理を行うようにしている。
【００１７】
図１は、本発明の実施形態による数値解析レベルの評価方法の動作処理の流れを示すフローチャートである。
図１のステップＳ１：解析データ指定と、解析レベル評価の条件設定部
オペレータは、基本解析データと新規解析データのファイル名、比較条件及び、解析結果取り出し条件（解析レベル評価条件）を入力する。コンピュータは、指定されたファイルを記憶装置から読み込み、比較条件と解析結果取り出し条件を記憶する。
【００１８】
比較条件は形状モデルデータ、材料特性データなど、基本解析と新規解析の２つのデー
タで対応関係にあるデータブロックのうち、データを入れ替えて一時解析するための条件である。デフォルトでは、比較条件は、形状モデルデータ、個別の材料特性とする。即ち、比較条件は、デフォルトとして下記の組み合わせとしておき、オペレータがあらかじめ双方の解析データを調査し、比較条件とその組み合わせをここで入力することもできる。
【００１９】
1)形状モデルデータ部
2)個別の材料特性
3)対応関係のある材料特性全て
解析結果取り出し条件は、基本解析と新規解析の２つのデータの数値解析結果から比較のために取り出す変数、数値解析ステップ範囲、取り出し開始時間、終了時間などである。
【００２０】
図１のステップＳ２：解析データのブロック分け処理部
入力した解析データがコンピュータによりブロック分けされ、記憶装置に格納される。ブロック分けは形状モデルデータ部、材料特性、節点集合、要素集合、拘束条件、接触条件、解析ステップ条件など、解析機能データごとに行われる。
【００２１】
図１のステップＳ３：ブロック対応表の作成部
基本解析データと新規解析データの形状モデルデータブロック、名前の同じ材料データブロックなど、対応するブロックが見つけられ、対応表が作成・記憶される。
【００２２】
図１のステップＳ４：一時解析データ作成部
基本解析データのコピーが作成され、一時解析データとされる。ステップＳ１で指示された解析レベル比較条件に従って、新規解析データのブロックが取り出され、一時解析データの対応するブロックに上書きされる。
【００２３】
図１のステップＳ５：一時解析データ実行と結果の取り出し部
一時解析データが数値解析処理される。書き換えられたブロック情報とともに、ステップＳ１での指定に基づいて、解析結果から所定のデータが取り出され、整理して評価表に追加して記憶される。
【００２４】
図１のステップＳ６：終了判断部
指定された評価条件の処理が全て終了したか判断される。評価条件が残っているときには、ステップＳ４に戻る。すべて終了なら次のステップＳ７が実行される。
【００２５】
図１のステップＳ７：一時解析結果と基本解析結果との差の表示部
基本解析データと一時解析データの解析結果の差が計算され、記憶装置に格納されると同時に、ディスプレイに表示される。
【００２６】
図２は、本発明の実施形態である数値解析レベルの評価装置として、図１に示した数値解析レベルの評価方法を実施するための処理装置の構成を示す図である。１０は処理装置、１１は基本解析データ、新規解析データの入力と処理条件指示部、１２は入力と表示装置、１３は解析データのブロック分割部、１４は入力した解析データ間でのブロック関係付け部、１５は関係付けされたブロックの書き換え処理部、１６は数値解析処理指示部、１７は数値解析結果の取り出し・比較・表示部、１８は書き換え情報と対応した解析結果整理格納部、１９は解析データ診断表作成と表示部、２０はＣＡＥ（Computer Aided Engineering）ソフトウエアを記憶し実行する部分、２１は解析データファイル、２２は解析データのブロック分割データファイル、２３は解析結果ファイルである。
【００２７】
図３は、一般的な解析データの概略構成を説明する図である。解析データは大きくモデ
ルデータ部、履歴データ部から構成される。
モデルデータ部は、解析すべき対象物の形状を節点と要素の組み合わせ及び要素特性定義によって表現する。要素特性定義には、要素集合と材料の関係が記述される。また、対象物の各材料の材料名に対応して、材料特性がそれぞれ定義される。材料データは、材料名、ヤング率とポアソン比、熱膨張係数などのデータからなる。また、材料データとして、対象物の数値解析スタート時の温度定義など、初期条件が記述される。
【００２８】
履歴データ部は、線形解析／非線形解析／熱伝導解析／振動解析などのプロシージャ指定、時間増分、荷重、境界条件の定義及び変更、要素と表面定義の一時消去と再活性化、出力要求などから構成される。
【００２９】
図４は、ブロック比較を説明する図である。
形状データは、最初の節点記述カードを先頭にして、節点情報といくつかの要素集合の記述から構成され、節点あるいは要素定義以外のカードが現れた直前の行が、形状モデルのブロック終端になる。
【００３０】
材料定義は、材料名の書かれたカードを先頭にして、下にヤング率、ポアソン比、熱膨張係数などが記述され、次の材料定義か材料定義関係以外のカードが現れた直前までが、材料定義ブロックの終端になる。
【００３１】
図５は、解析データの構造を説明する図である。図１のステップＳ２の解析データのブロック分け処理部を少し詳しく説明するものである。
解析データは、節点座標値、要素、材料特性、接触面、荷重面要素集合など、１つのデータ群には特有の名前が付けられていて、１つのデータ群に属さない別のデータ定義が始まる直前のデータ行までが一つのブロック区切りになる。
【００３２】
形状モデルデータ部は、節点座標値定義の集合、要素定義集合の全てを含んだデータとする。
材料データブロックは、ひとつの材料について、機械特性、熱特性など数値解析に必要な全ての特性を含んだデータとする。
【００３３】
節点集合、要素集合は単独でも定義され、接触面定義、境界条件、拘束条件、荷重条件などに集合名が使われる。例えば、節点集合はその名前を使って拘束条件定義や、荷重定義などを行う。要素集合はその名前を使って接触面定義、等分布荷重定義などを行う。
【００３４】
図６〜図１３は、汎用数値解析ソフトウエアによる具体的な解析データを示しており、ブロック分割について具体的に示す。
モデル形状定義部は、*NODEのカードから始まる。NSETに続くALLがこれから定義される節点集合の名前になる。*ELEMENTのカードの直前までが節点定義部である。
【００３５】
要素定義は、*ELEMENTから始まる行の、TYPEに続く名前が要素タイプを示し、ELSETに続く名前はこれから定義される要素集合の名前になる。次の*ELEMENT行あるいはそれ以外のカードの直前までが、ひとつの要素集合定義になる。
【００３６】
材料定義部は、*MATERIALのカードから始まる。NAMEに続く名前が、これから定義される材料の名前になる。別の*MATERIALあるいは材料定義関連以外のカードの直前までが、ひとつの材料定義ブロックである。
【００３７】
初期条件定義は、*INITIAL CONDITIONのカードから始まる。TYPEに続く名前が、これから定義される初期条件の内容を示す。TEMPERATUREはこれが初期温度定義であることを表
す。このカードに続いて初期温度を与える節点集合名と初期温度が与えられる。次に*とアルファベットから始まるカードの直前までが、初期条件定義ブロックになる。
【００３８】
境界条件定義部は、*BOUNDARYのカードから始まる。OPに続く名前が、これから定義される境界条件が新規に与えられるか、既に与えた条件を変更するかの違いを表す。NEWは新たな定義であることを示す。節点番号と拘束自由度、値の順に記述される。次に*とアルファベットから始まるカードの直前までが、初期条件定義ブロックになる。
【００３９】
*STEPのカードから*END STEPまでが、解析処理の一区切りを示す。
*VISCOは、粘弾性の非定常解析であることを示す。
温度指定は、*TEMPERATUREのカードから始まる。次に*とアルファベットから始まるカードの直前までが、熱流束定義ブロックになる。
*OUTPUTから始まるカードが、出力条件定義になる。
【００４０】
図１４は、上記汎用数値解析ソフトウエアの解析データによるブロック比較の例であり、同一材料で特性定義が異なる場合の説明である。左右に並べて示す材料定義ブロックはともに材料名CORE679のデータであるが、左が*VISCOELASTICのカードからはじまる粘弾性特性材料定義であるのに対して、右は*ELASTICカードから始まる温度依存の弾性率データになっている。それぞれデータが良い悪いということではなく、左は社内で実測した結果から得た粘弾性特性で、右は例えば材料メーカーから提供された試験データによるものである。
【００４１】
図１５は、比較する解析データと、書き換え情報登録部を示す。
図１のステップＳ１の処理において、基本解析と新規解析２つの解析データがオペレータによって指定され、その２つのモデル名、ファイル名がコンピュータ処理により、ここに格納される。
【００４２】
また、図１のステップＳ２の処理で作成されたブロック分割情報登録データのアドレスが、ブロック分割情報格納先で示す欄に格納される。更に、図１のステップＳ３の処理で、ステップＳ２の処理で作成されたブロック分割情報登録データから形状モデル定義ブロック、同一材料名のブロックなどが識別されて、基本解析データと新規解析データとで対応が見つかれば、そのブロック番号がこの比較モデル書き換え情報登録部の差し替え欄に逐次格納される。
【００４３】
図１６は、ブロック分割情報登録部を示す。
入力された基本解析データと新規解析データそれぞれについて、図１のステップＳ２の処理において解析データのブロック分割が行われ、形状モデル部、材料定義部、拘束条件定義部などの各ブロックの始まりと終わりのデータ行番号と、ブロック定義に材料名など名前があればその名前が登録される。図中の矢印は、基本解析と新規解析データのブロックでの対応関係を示す。
【００４４】
図１７は、解析データの構成と結果を示すデータ登録部である。
基本解析データ、新規解析データ、一時解析データのそれぞれについて、データファイル名、基本解析データから変更するデータブロック番号、結果データの格納アドレス、例えば反りなどの最終評価データ、基準となる解析結果との誤差、入れ替えたブロックの良否判定値（○（良い）又は×（悪い））が、コンピュータで処理されそれぞれ登録される。入れ替えたブロックの良否判定は、あらかじめシステムに組み込んでおいた判定基準（この例では20%）の値よりも誤差が小さければ○、大きければ×の判定がなされる。なお、判定基準はオペレータによって変更することができるようになっている。
【００４５】
図１のステップＳ１の処理においてオペレータにより指定された基本解析データと新規解析データのファイル名、比較条件及び、解析結果取り出し条件に従って、新たに作成される一時解析データの名前とファイル名、基本解析データからの変更ブロック番号が格納され、この指定に従って一時解析データが作成され、数値解析が実行され、結果が取り出されて登録される。同時に誤差が計算され登録される。個別の誤差が判定基準と比較されて良否判定が行われ、判定値が○、×で登録される。この図で、変更ブロック番号は、デフォルトの組み合わせを示した。
【００４６】
一時モデル-１では、形状モデルデータ定義部であるブロック番号１、拘束条件を定義するためのブロック番号６、ブロック番号７、ブロック番号８が同時に入れ替えられる。形状モデルデータ定義の入れ替えでは、解析ステップ内がチェックされて、荷重定義や拘束条件変更などが定義されていて、それに要素集合、節点集合が使われていた場合には、それら集合に対応するブロック番号によってデータが入れ替えられる。ここでは、数値解析された結果が反り量として0.064となり、基本解析結果の反り0.061と比較して誤差が4.9%になることが示されている。
【００４７】
一時モデル-２では、ブロック番号２の材料特性データ定義部が入れ替えられ、数値解析された結果が反り量として0.064となり、基本解析結果の反り0.061と比較して誤差が4.9%になる。判定基準20%より誤差が小さいので良否判定値は○になることが示されている。
【００４８】
一時モデル-３では、ブロック番号３の材料特性データ定義部が入れ替えられ、数値解析された結果が反り量として0.062となり、基本解析結果の反り0.061と比較して誤差が1.6%になる。判定基準20%より誤差が小さいので良否判定値は○になることが示されている。
【００４９】
一時モデル-４では、ブロック番号４の材料特性データ定義部が入れ替えられ、数値解析された結果が反り量として0.073となり、基本解析結果の反り0.061と比較して誤差が19.7%になる。判定基準20%より誤差が小さいので良否判定値は○になることが示されている。
【００５０】
一時モデル-５では、ブロック番号２、３、４の材料特性データ定義部が入れ替えられ、数値解析された結果が反り量として0.076となり、基本解析結果の反り0.061と比較して誤差が24.6%になる。判定基準20%より誤差が大きいので良否判定値は×になることが示されている。
【００５１】
以上の結果から、形状モデル定義部と、ブロック番号２、３の材料特性データは、基本解析データのブロックと入れ替えても誤差が小さく、解析データとして問題が少ないと判断できる。これに対して、ブロック番号４の材料特性データを入れ替えた計算結果は、基本解析データの解析結果との誤差が19.6%と大きく、ブロック番号２、３、４の材料特性を一度に入れ替えた場合に誤差が24.6%と判定基準20%を超える。このため、ブロック番号４の材料特性は、単独で入れ替えた場合は誤差許容値に入るが、新規解析データ全体としては基本解析データとの差が大きくなる原因であることがわかる。そこでシステムは、ブロック番号４のデータ見直しが必要であることをオペレータにディスプレイ表示などによって通知する。オペレータは、システムのアラームに従って新規解析データを見直すが、ブロック番号４の材料特性データが基本解析データに使われた材料特性と大きく異なる性質であることを承知で使われたことが分かっていた場合は、このアラームを無視することができる。
【００５２】
図１８は、図１のステップＳ４の処理の詳細フローである。
基本解析データがコピーされて一時解析データが作成され（ステップＳ４−１）、新規解析データの変更ブロックデータがコピーされ（ステップＳ４−２）、一時解析データの変更対象ブロックが新規解析データの変更対象ブロックで書き換えられる（ステップＳ４−３）。
【００５３】
図１９は、図１のステップＳ５の処理の詳細フローである。
一時解析データにより数値解析が実施され（ステップＳ５−１）、解析結果から所定の結果データ（反り量）が取り出され（ステップＳ５−２）、一時解析データ名、入力ファイル名、結果データ（反り量）が登録される（ステップＳ５−３）。
【００５４】
図２０は、図１のステップＳ７の処理の詳細フローである。
誤差が計算されて登録され（ステップＳ７−１）、良否判定が行われて結果が登録される（ステップＳ７−２）。
【００５５】
図２１は、解析結果情報登録部を示す。
図１のステップＳ５の処理によってそれぞれの一時解析データの数値解析計算が実施されるが、図１のステップＳ１での処理によってあらかじめ結果取り出し範囲、取り出し対象の変数名、出力すべき節点番号などがここに格納されている。また、解析の結果データ格納アドレスがここに記載される。この例では解析結果は第３ステップの最終時間1.00のみ節点番号10と20の変数U3のデータの取り出しが指定されている。
【００５６】
図２２は、解析結果データ登録例-１を示す。
図２１で説明した指定により、解析第３ステップの最終時間で、節点番号10と20のＵ３データが取り出されここに格納される。また、両者の差が計算されて差の項に記入される。また同時に、この差のデータは、図１６に示す基本解析データからの変更ブロック表の解析結果の項に記入される。
【００５７】
図２３は、基本解析データと新規解析データで実際には対応関係にあるが、要素集合名で検索すると一致しない場合にオペレータが対応関係を教示する際の、ディスプレイ表示の例を示す。
【００５８】
図１のステップＳ１の処理において、オペレータは基本解析データと新規解析データをディスプレイに左右同時に表示させ、対話的に部品を指示しながら、名前が異なっていても同じ機能の部品であるもの同士の対応を指定することができ、この指定に従って後のブロック分割処理が行われる。
この図において、タグは各部品に対応した要素集合に付けられた名前を示す。
この図でオペレータが指示する対応関係は、CU_WIREとCU、SI_CHIPとCHIP、CHIP_HLDRとR-SURF、COREとPWBである。
【００５９】
図２４は、基本解析データと新規解析データで実際には対応関係にあるが、材料名で検索すると一致しない場合にオペレータが対応関係を教示する際の、ディスプレイ表示の例を示す。
【００６０】
図１のステップＳ１の処理において、オペレータは基本解析データと新規解析データをディスプレイに左右同時に表示させ、対話的に部品を指示しながら、名前が異なっていても同じ材料であるもの同士の対応を指定することができ、この指定に従って後のブロック分割処理が行われる。
この図において、タグは各部品の材料名を示す。
また、この図では基本解析データと新規解析データの部品につけられた材料名は要素集合名は対応が取れていない。対応関係はSR4000とPSR4000、SIとCHIP、UFR1000CとUF、COREとR176X、である。
【００６１】
図２５は、基本解析データと新規解析データの構造寸法違いの例を示す。
両者ともサブストレート基板にチップを搭載した類似の構造で３次元固体要素でモデル化されているが、サブストレート基板寸法とチップ寸法が異なる。
【図面の簡単な説明】
【００６２】
【図１】本発明実施形態の数値解析レベルの評価方法の動作処理の流れを示すフローチャートである。
【図２】本発明の実施形態による数値解析レベルの評価装置であって、図１に示した数値解析レベルの評価方法を実施するための処理装置の構成図である。
【図３】一般的な解析データの概略構成を説明する図である。
【図４】ブロック比較を説明する図である。
【図５】解析データの構造を説明する図である
【図６】汎用数値解析ソフトウエアによる具体的な解析データとブロック分割の具体的を示した図（その１）である。
【図７】汎用数値解析ソフトウエアによる具体的な解析データとブロック分割の具体的を示した図（その２）である。
【図８】汎用数値解析ソフトウエアによる具体的な解析データとブロック分割の具体的を示した図（その３）である。
【図９】汎用数値解析ソフトウエアによる具体的な解析データとブロック分割の具体的を示した図（その４）である。
【図１０】汎用数値解析ソフトウエアによる具体的な解析データとブロック分割の具体的を示した図（その５）である。
【図１１】汎用数値解析ソフトウエアによる具体的な解析データとブロック分割の具体的を示した図（その６）である。
【図１２】汎用数値解析ソフトウエアによる具体的な解析データとブロック分割の具体的を示した図（その７）である。
【図１３】汎用数値解析ソフトウエアによる具体的な解析データとブロック分割の具体的を示した図（その８）である。
【図１４】汎用数値解析ソフトウエアの解析データによるブロック比較の例を示す図である。
【図１５】比較するモデルと書き換え情報登録部を示す図である。
【図１６】ブロック分割情報登録部を示す図である。
【図１７】解析データの構成と結果を示すデータ登録部を示す図である。
【図１８】図１のステップＳ４の処理の詳細フローを示す図である。
【図１９】図１のステップＳ５の処理の詳細フローを示す図である。
【図２０】図１のステップＳ７の処理の詳細フローを示す図である。
【図２１】解析結果情報登録部を示す図である。
【図２２】解析結果データ登録例-１を示す図である。
【図２３】オペレータ指示用基本解析データと新規解析データの要素集合名表示例を示す図である。
【図２４】オペレータ指示用基本解析データと新規解析データの材料名表示例を示す図である。
【図２５】基本解析データと新規解析データの構造寸法違いの例を示す図である。
【符号の説明】
【００６３】
１０  処理装置
１１  基本解析データ、新規解析データの入力と処理条件指示部
１２  入力と表示装置
１３  解析データのブロック分割部
１４  入力した解析データ間でのブロック関係付け部
１５  関係付けされたブロックの書き換え処理部
１６  数値解析処理指示部
１７  数値解析結果の取り出し・比較・表示部
１８  書き換え情報と対応した解析結果整理格納部
１９  解析データ診断表作成と表示部
２０  ＣＡＥソフトウエアを記憶し実行する部分
２１  解析データファイル
２２  解析データのブロック分割データファイル
２３  解析結果ファイル
【図１】
2009223718.tif 000003
【図２】
2009223718.tif 000004
【図３】
2009223718.tif 000005
【図４】
2009223718.tif 000006
【図５】
2009223718.tif 000007
【図６】
2009223718.tif 000008
【図７】
2009223718.tif 000009
【図８】
2009223718.tif 000010
【図９】
2009223718.tif 000011
【図１０】
2009223718.tif 000012
【図１１】
2009223718.tif 000013
【図１２】
2009223718.tif 000014
【図１３】
2009223718.tif 000015
【図１４】
2009223718.tif 000016
【図１５】
2009223718.tif 000017
【図１６】
2009223718.tif 000018
【図１７】
2009223718.tif 000019
【図１８】
2009223718.tif 000020
【図１９】
2009223718.tif 000021
【図２０】
2009223718.tif 000022
【図２１】
2009223718.tif 000023
【図２２】
2009223718.tif 000024
【図２３】
2009223718.tif 000025
【図２４】
2009223718.tif 000026
【図２５】
2009223718.tif 000027